(57)【要約】  光学アセンブリ、該光学アセンブリを有するカメラモジュール、及び該カメラモジュールを有するスマートデバイスを提供する。光学アセンブリであって、角度範囲に区分された４つの側面を備える外枠（１２）を有するレンズ群モジュール（１０）であって、外枠（１２）の各側面には、外枠（１２）の一組の対角領域（１２Ａ）に位置する第１の支持部（１３）および第２の支持部（１４）をそれぞれ備えるレンズ群モジュール（１０）と、レンズ群モジュール（１０）の外枠（１２）の他の一組の対角領域（１２Ｂ）に設けられ、外枠（１２）の各側面にそれぞれ対応する固定面には、それぞれ第１の支持部（１３）に対応する第１の電源固定部（３１１）および第１のアース固定部（３２１）と、第２の支持部（１４）に対応する第２の電源固定部（３３１）および第２のアース固定部（３２２）とを有する固定装置（３０）と、備える光学アセンブリ。【選択図】図１
2021504745.tif 000002
【特許請求の範囲】
【請求項１】
光学アセンブリであって、
角度範囲に区分された４つの側面を備える外枠を有するレンズ群モジュールであって、前記外枠の各側面には、前記外枠の一組の対角領域に位置する第１の支持部および第２の支持部をそれぞれ備えるレンズ群モジュールと、
前記レンズ群モジュールの前記外枠の他の一組の対角領域に設けられ、前記外枠の各側面にそれぞれ対応する固定面には、それぞれ前記第１の支持部に対応する第１の電源固定部および第１のアース固定部と、前記第２の支持部に対応する第２の電源固定部および第２のアース固定部とを有する固定装置と、
備えることを特徴とする光学アセンブリ。
【請求項２】
前記レンズ群モジュールの下方に設けられ、前記レンズ群モジュールを支持し、前記固定装置を固定するベースを備えることを特徴とする請求項１に記載の光学アセンブリ。
【請求項３】
前記第１の支持部および前記第２の支持部は、前記レンズ群モジュールの前記外枠に一体的に形成されていることを特徴とする請求項１に記載の光学アセンブリ。
【請求項４】
前記第１の支持部と、前記第２の支持部と、前記第１の電源固定部と、前記第１のアース固定部と、前記第２の電源固定部と、前記第２のアース固定部との位置は、
前記第１の支持部における第１の支持位置と前記第１の電源固定部における固定位置との間及び前記第１の支持部における第２の支持位置と前記第１のアース固定部における固定位置との間には、第１の結線及び第２の結線を含む第１の組の結線が形成され、
前記第２の支持部における第３の支持位置と前記第２の電源固定部における固定位置との間及び前記第２の支持部における第４の支持位置と前記第２のアース固定部における固定位置との間には、第３の結線及び第４の結線を含む第２の組の結線が形成され、
前記第１の組の結線と前記第２の組の結線が交差するが互いに接触しないように設置されたことを特徴とする請求項１に記載の光学アセンブリ。
【請求項５】
前記第１の支持部、前記第２の支持部、前記第１の電源固定部、前記第１のアース固定部、前記第２の電源固定部、前記第２のアース固定部の位置は、
前記第１の結線と前記第２の結線が互いに平行になり、前記第３の結線と前記第４の結線が互いに平行になるように設置されたことを特徴とする請求項４に記載の光学アセンブリ。
【請求項６】
前記外枠の各側面において、前記第１の支持位置および前記第２の支持位置と前記外枠の、該第１の支持位置および該第２の支持位置がある側面との距離は、前記第３の支持位置および前記第４の支持位置と前記外枠の、該第３の支持位置および該第４の支持位置がある側面との距離と異なることを特徴とする請求項４に記載の光学アセンブリ。
【請求項７】
前記固定装置の各固定面において、前記第１の電源固定部における固定位置及び前記第１のアース固定部における固定位置と前記固定面との距離は、前記第２の電源固定部における固定位置及び前記第２のアース固定部における固定位置と前記固定面との距離と異なることを特徴とする請求項１に記載の光学アセンブリ。
【請求項８】
前記第１の支持部および前記第２の支持部のうち少なくとも前記第１の支持部は、巻線部であり、前記巻線部の巻線構造が前記第１の支持位置および前記第２の支持位置に対応する位置に設けられたことを特徴とする請求項１に記載の光学アセンブリ。
【請求項９】
前記巻線部は、前記光軸に平行な巻線構造を有することを特徴とする請求項８に記載の光学アセンブリ。
【請求項１０】
前記巻線部は、前記光軸に垂直な巻線構造を有することを特徴とする請求項８に記載の光学アセンブリ。
【請求項１１】
前記第１の支持部及び前記第２の支持部はいずれも巻線部であり、且つ前記光軸に平行な同一の軸部材における二つの部分で形成され、前記軸部材は、前記外枠の、該軸部材がある側面から外方に延びる支持具に設けられていることを特徴とする請求項８に記載の光学アセンブリ。
【請求項１２】
前記巻線部は、Ｔ字型又は工字型の巻線構造を有することを特徴とする請求項８に記載の光学アセンブリ。
【請求項１３】
前記第１の支持部および前記第２の支持部のうち少なくとも前記第１の支持部は、可動端固定部であることを特徴とする請求項１に記載の光学アセンブリ。
【請求項１４】
前記可動端固定部は、前記第１の支持位置および前記第２の支持位置にそれぞれ対応する第１の可動端固定位置および第２の可動端固定位置を含むことを特徴とする請求項１３に記載の光学アセンブリ。
【請求項１５】
前記可動端固定部の内部には、前記第１の可動端固定位置と前記第２の可動端固定位置との間に設けられた導電性素子をさらに含むことを特徴とする請求項１４に記載の光学アセンブリ。
【請求項１６】
前記固定装置は、
前記第１の電源固定部と前記第１のアース固定部とがそれぞれ設けられる第１の電源固定端及び第１のアース固定端及び／又は
前記第２の電源固定部と前記第２のアース固定部とがそれぞれ設けられる第２の電源固定端及び第２のアース固定端を備えることを特徴とする請求項１に記載の光学アセンブリ。
【請求項１７】
前記第１の電源固定端と前記第２の電源固定端とは、異なる電源固定端であることを特徴とする請求項１６に記載の光学アセンブリ。
【請求項１８】
前記第１のアース固定端と前記第２のアース固定端とは、同一のアース固定端であることを特徴とする請求項１７に記載の光学アセンブリ。
【請求項１９】
前記第１のアース固定端と前記第２のアース固定端とは、異なるアース固定端であることを特徴とする請求項１７に記載の光学アセンブリ。
【請求項２０】
前記同一のアース固定端は、前記第１の電源固定端と前記第２の電源固定端との間に位置することを特徴とする請求項１８に記載の光学アセンブリ。
【請求項２１】
前記固定装置は、
第１の固定具及び／又は第２の固定具を備え、
前記第１の固定具には、前記第１の電源固定部と前記第１のアース固定部とが互いに電気的に絶縁されて固定されており、
前記第２の固定具には、前記第２の電源固定部と前記第２のアース固定部とが互いに電気的に絶縁されて固定されている
ことを特徴とする請求項１に記載の光学アセンブリ。
【請求項２２】
前記外枠の各側面に対応する第１の支持部と、第２の支持部と、第１の電源固定部と、第１のアース固定部と、第２の電源固定部と、第２のアース固定部と、この側面に隣接する側面に対応する第１の支持部と、第２の支持部と、第１の電源固定部と、第１のアース固定部と、第２の電源固定部と、第２のアース固定部とは、対称に設けられていることを特徴とする請求項１に記載の光学アセンブリ。
【請求項２３】
前記外枠の各側面における前記第１の支持部と前記固定装置の、該第１の支持部がある側面に対応する固定面における前記第１の電源固定部及び第１のアース固定部との距離は、前記外枠の各側面における前記第２の支持部と前記固定装置の、該第２の支持部がある側面に対応する固定面における前記第２の電源固定部及び第２のアース固定部との距離と同じであることを特徴とする請求項１に記載の光学アセンブリ。
【請求項２４】
前記外枠の各側面における前記第１の支持部と前記固定装置の、該第１の支持部がある側面に対応する固定面における前記第１の電源固定部及び第１のアース固定部との距離は、前記外枠の各側面における前記第２の支持部と前記固定装置の、該第２の支持部がある側面に対応する固定面における前記第２の電源固定部及び第２のアース固定部との距離と異なることを特徴とする請求項１に記載の光学アセンブリ。
【請求項２５】
請求項１から２４のいずれか１項に記載の光学アセンブリを含むことを特徴とするカメラモジュール。
【請求項２６】
前記カメラモジュールの前記外枠を囲むように設置され、前記カメラモジュールを駆動して該カメラモジュールを複数の方向に移動させるためのＳＭＡワイヤを備えることを特徴とする請求項２５に記載のカメラモジュール。
【請求項２７】
前記外枠の各側面には、前記ＳＭＡワイヤはいずれも第１のＳＭＡワイヤ及び第２のＳＭＡワイヤを含み、前記第１のＳＭＡワイヤおよび前記第２のＳＭＡワイヤの可動端は、それぞれ前記第１の支持部および前記第２の支持部によって支持され、前記第１のＳＭＡワイヤの２つの固定端は、前記第１の電源固定部と前記第１のアース固定部とにそれぞれ固定され、前記第２のＳＭＡワイヤの２つの固定端は、前記第２の電源固定部と前記第２のアース固定部にそれぞれ固定されたことを特徴とする請求項２６に記載のカメラモジュール。
【請求項２８】
スマートデバイスであって、
請求項２５から２８のいずれか一項に記載のカメラモジュールを備えることを特徴とするスマートデバイス。
【発明の詳細な説明】
【技術分野】
【０００１】
本発明は光学アセンブリ、光学アセンブリを有するカメラモジュール及びカメラモジュールを有するスマートデバイスに関する。
【背景技術】
【０００２】
従来のスマートデバイスにおけるカメラモジュールは基本的にモータ機構によりレンズ群の縦方向運動を駆動してオートフォーカスを実現するが、モータキャリアがレンズ群を駆動して縦方向運動に一定の運動ストロークを必要とするため、スマートデバイスにおいてレンズ群の縦方向運動に予約空間を残す必要がある。スマートフォンを例にとると、スマートフォンが薄くなるほど、携帯電話ではカメラモジュールへの利用可能スペースが小さくなり、モータキャリアは磁石駆動コイルに一定の推力を発生させてはじめてレンズ群の縦方向運動を動かすことができる、このうち、磁石は、モータ内部において大きな体積を占めるとともに、推力が一定値に達するために磁石の体積が減少しにくいため、磁石の体積が減少しない前提に、モータ構造を改善し、モータの体積を小さくし、ひいては携帯電話のカメラモジュールの体積を小さくする必要がある。
【０００３】
形状記憶合金（ＳＭＡ）ワイヤは、昇温後に比較的低温で発生する歪みを解消し、その変形前の原形状に戻すことができるので、ＳＭＡワイヤによってモータに代えてレンズ群を駆動して該レンズ群を動くことができる。ＳＭＡワイヤは、従来のモータに対してより小さな体積を有しており、モジュールの全体寸法を効果的に低減することができ、モジュールの小型化が進んでいる。
【発明の概要】
【０００４】
本発明はカメラモジュールと該カメラモジュールを有するスマートデバイスを提供することを目的とし、望ましいのは、小さい体積を有してＳＭＡワイヤの駆動でオートフォーカス及び光学防振を実現することができる。
【０００５】
本発明の一方面によれば、光学アセンブリであって、角度範囲に区分された４つの側面を備える外枠を有するレンズ群モジュールであって、外枠の各側面には、外枠の一組の対角領域に位置する第１の支持部および第２の支持部をそれぞれ備えるレンズ群モジュールと、レンズ群モジュールの外枠の他の一組の対角領域に設けられ、外枠の各側面にそれぞれ対応する固定面には、それぞれ第１の支持部に対応する第１の電源固定部および第１のアース固定部と、第２の支持部に対応する第２の電源固定部および第２のアース固定部とを有する固定装置と、備える光学アセンブリを提供する。
【０００６】
一実施の形態において、光学アセンブリは、さらに、レンズ群モジュールの下方に設けられ、レンズ群モジュールを支持し、固定装置を固定するベースを備える。
【０００７】
一実施の形態において、第１の支持部および第２の支持部は、レンズ群モジュールの外枠に一体的に形成されている。
【０００８】
一実施の形態において、第１の支持部と、第２の支持部と、第１の電源固定部と、第１のアース固定部と、第２の電源固定部と、第２のアース固定部との位置は、第１の支持部における第１の支持位置と第１の電源固定部における固定位置との間及び第１の支持部における第２の支持位置と第１のアース固定部における固定位置との間には、第１の結線及び第２の結線を含む第１の組の結線が形成され、第２の支持部における第３の支持位置と第２の電源固定部における固定位置との間及び第２の支持部における第４の支持位置と第２のアース固定部における固定位置との間には、第３の結線及び第４の結線を含む第２の組の結線が形成され、第１の組の結線と第２の組の結線が交差するが互いに接触しないように設置された。
【０００９】
一実施の形態において、第１の支持部、第２の支持部、第１の電源固定部、第１のアース固定部、第２の電源固定部、第２のアース固定部の位置は、第１の結線と第２の結線が互いに平行になり、第３の結線と第４の結線が互いに平行になるように設置された。
【００１０】
一実施の形態において、外枠の各側面において、第１の支持位置および第２の支持位置と外枠の、該第１の支持位置および該第２の支持位置がある側面との距離は、第３の支持位置および第４の支持位置と外枠の、該第３の支持位置および該第４の支持位置がある側面との距離と異なる。
【００１１】
一実施の形態において、固定装置の各固定面において、第１の電源固定部における固定位置及び第１のアース固定部における固定位置と固定面との距離は、第２の電源固定部における固定位置及び第２のアース固定部における固定位置と固定面との距離と異なる。
【００１２】
一実施の形態において、第１の支持部および第２の支持部のうち少なくとも第１の支持部は、巻線部であり、巻線部の巻線構造が第１の支持位置および第２の支持位置に対応する位置に設けられた。
【００１３】
一実施の形態において、巻線部は、光軸に平行な巻線構造を有する。
【００１４】
一実施の形態において、巻線部は、光軸に垂直な巻線構造を有する。
【００１５】
一実施の形態において、第１の支持部及び第２の支持部はいずれも巻線部であり、且つ光軸に平行な同一の軸部材における二つの部分で形成され、軸部材は、外枠の、該軸部材がある側面から外方に延びる支持具に設けられている。
【００１６】
一実施の形態において、巻線部は、Ｔ字型又は工字型の巻線構造を有する。
【００１７】
一実施の形態において、第１の支持部および第２の支持部のうち少なくとも第１の支持部は、可動端固定部である。
【００１８】
一実施の形態において、可動端固定部は、第１の支持位置および第２の支持位置にそれぞれ対応する第１の可動端固定位置および第２の可動端固定位置を含む。
【００１９】
一実施の形態において、可動端固定部の内部には、第１の可動端固定位置と第２の可動端固定位置との間に設けられた導電性素子をさらに含む。
【００２０】
一実施の形態において、固定装置は、第１の電源固定部と第１のアース固定部とがそれぞれ設けられる第１の電源固定端及び第１のアース固定端及び／又は第２の電源固定部と第２のアース固定部とがそれぞれ設けられる第２の電源固定端及び第２のアース固定端を備える。
【００２１】
一実施の形態において、第１の電源固定端と第２の電源固定端とは、異なる電源固定端である。
【００２２】
一実施の形態において、第１のアース固定端と第２のアース固定端とは、同一のアース固定端である。
【００２３】
一実施の形態において、第１のアース固定端と第２のアース固定端とは、異なるアース固定端である。
【００２４】
一実施の形態において、同一のアース固定端は、第１の電源固定端と第２の電源固定端との間に位置する。
【００２５】
一実施の形態において、固定装置は、第１の固定具及び／又は第２の固定具を備え、第１の固定具には、第１の電源固定部と第１のアース固定部とが互いに電気的に絶縁されて固定されており、第２の固定具には、第２の電源固定部と第２のアース固定部とが互いに電気的に絶縁されて固定されている。
【００２６】
一実施の形態において、外枠の各側面に対応する第１の支持部と、第２の支持部と、第１の電源固定部と、第１のアース固定部と、第２の電源固定部と、第２のアース固定部と、この側面に隣接する側面に対応する第１の支持部と、第２の支持部と、第１の電源固定部と、第１のアース固定部と、第２の電源固定部と、第２のアース固定部とは、対称に設けられている。
【００２７】
一実施の形態において、外枠の各側面における第１の支持部と固定装置の、該第１の支持部がある側面に対応する固定面における第１の電源固定部及び第１のアース固定部との距離は、外枠の各側面における第２の支持部と固定装置の、該第２の支持部がある側面に対応する固定面における第２の電源固定部及び第２のアース固定部との距離と同じである。
【００２８】
一実施の形態において、  外枠の各側面における第１の支持部と固定装置の、該第１の支持部がある側面に対応する固定面における第１の電源固定部及び第１のアース固定部との距離は、外枠の各側面における第２の支持部と固定装置の、該第２の支持部がある側面に対応する固定面における第２の電源固定部及び第２のアース固定部との距離と異なる。
【００２９】
本発明の他の一方面によれば、上記の実施の形態のいずれか１項に記載の光学アセンブリを含むカメラモジュールを提供する。
【００３０】
一実施の形態において、カメラモジュールは、さらにカメラモジュールの外枠を囲むように設置され、カメラモジュールを駆動して該カメラモジュールを複数の方向に移動させるためのＳＭＡワイヤを備える。
【００３１】
一実施の形態において、外枠の各側面には、ＳＭＡワイヤはいずれも第１のＳＭＡワイヤ及び第２のＳＭＡワイヤを含み、第１のＳＭＡワイヤおよび第２のＳＭＡワイヤの可動端は、それぞれ第１の支持部および第２の支持部によって支持され、第１のＳＭＡワイヤの２つの固定端は、第１の電源固定部と第１のアース固定部とにそれぞれ固定され、第２のＳＭＡワイヤの２つの固定端は、第２の電源固定部と第２のアース固定部にそれぞれ固定された。
【００３２】
本発明のさらに他の一方面によれば、上記の実施の形態のいずれか１項に記載のカメラモジュールを備えるスマートデバイスを提供する。
【００３３】
本発明の提供する光学アセンブリ、カメラモジュールおよびスマートデバイスによれば、体積が小さくになり、オートフォーカスおよび光学防振を容易に実現することができる。
【図面の簡単な説明】
【００３４】
図面に例示的な実施例を示す。今回開示された実施例および図面は例示であって制限的なものではないと考えられるべきである。
【図１Ａ】図１Ａは、本発明の一例示的な実施の形態に係る光学アセンブリにＳＭＡワイヤを提供した時の斜視図である。
【図１Ｂ】図１Ｂは、本発明の他の例示的な実施の形態に係る光学アセンブリにＳＭＡワイヤを提供した時の斜視図である。
【図２】図２は、図１Ａに示す実施の形態における固定装置の部分拡大図である。
【図３Ａ】図３Ａは、図１Ａに示す実施の形態における巻線部の模式図である。
【図３Ｂ】図３Ｂは、図１Ｂに示す実施の形態における巻線部の模式図である。
【図４Ａ】図４Ａは、本発明の一例示的な実施の形態に係る巻線形状の模式図である。
【図４Ｂ】図４Ｂは、本発明の他の例示的な実施の形態に係る巻線形状の模式図である。
【図５】図５は、本発明の一例示的な実施の形態に係る光学アセンブリにＳＭＡワイヤを提供したときの平面図である。
【図６Ａ】図６Ａは、本発明のさらに他の例示的な実施の形態に係る光学アセンブリにＳＭＡワイヤを提供した時の斜視図である。
【図６Ｂ】図６Ｂは、図６Ａに示す実施の形態における可動端固定具の部分拡大図である。
【図６Ｃ】図６Ｃは、図６Ａに示した実施の形態における可動端固定具の内部構造模式図である。
【図７】図７は、本発明のさらに他の例示的な実施の形態に係る光学アセンブリにＳＭＡワイヤを提供した時の斜視図である。
【図８】図８は、本発明のさらに他の例示的な実施の形態に係る光学アセンブリにＳＭＡワイヤを提供した時の斜視図である。
【図９Ａ】図９Ａは、本発明のさらに他の例示的な実施の形態に係る光学アセンブリにＳＭＡワイヤを提供した時の斜視図である。
【図９Ｂ】図９Ｂは、図９Ａに示す実施の形態の一側面を示す側面図である。
【図１０】図１０は、本発明の実施の形態に係る光学アセンブリにＳＭＡワイヤが巻回されたときの透視図を模式的に示している。
【発明を実施するための形態】
【００３５】
本発明の理解を容易にするために、図面を参考しながら、本発明の各局面について、より詳細に説明する。なお、これらの詳細な説明は、本発明の例示的な実施の形態についての説明であって、本発明の範囲を何ら限定するものではないと考えられるべきである。また、明細書の全文において、同一の参照符号は、同一の素子を示すものとする。“及び／又は”は関連する列挙された項目のうちの一つ又は複数の任意と全ての組み合わせを含む。
【００３６】
なお、本明細書において、第１の、第２のなどの表現は、１つの特徴を他の特徴と区別するためのものであり、特徴を限定するものではない。したがって、本発明の教示を逸脱しない限り、以下で説明する第１の本体も第２の本体と呼べる。
【００３７】
図面では、説明の便宜上、物体の厚さ、大きさ、形状を誇張して描いている。図面は例示に過ぎず、厳密に縮尺通りに描かれているわけではない。
【００３８】
また、用語「備える」、「備えた」、「有する」、「含む」及び／又は「含んでいる」は、本明細書において使用時に、記載された特徴、全体、ステップ、操作、素子及び／又は部材の存在を意味するが、一つまたは複数の他の特徴、全体、ステップ、操作、素子及び／又は部材の組み合わせの存在または付加存在を排除するものではないことを理解すべきである。また、「．．．のうちの少なくとも１つ」などの表現は、列挙された特徴のリストの後に出現すると、修飾リストのうちの個別の素子ではなく、列挙されたのすべての特徴が修飾される。また、本発明の実施の形態を説明する際に、「本発明の一又は複数の実施の形態」を「できる」で表すこととする。また、用語「例示的」は、例示的または列挙されたものである。
【００３９】
本明細書において、「基本的」、「略」という用語およびそれらに類似する用語は、近似を示す用語として用いられ、程度を示す用語として用いられず、当業者によって認識される、測定値または計算値における固有のばらつきを説明するためのものである。
【００４０】
特に断らない限り、本明細書において用いたすべつの用語（技術用語及び科学用語を含む）は、いずれも本発明の属する分野の当業者の一般的な理解と同一の意味を有する。また、特に断らない限り、用語（例えば、常用ワード辞書において定義される用語）は、関連技術の文脈における意味に一致する意味で解釈されるべきであり、理想化的または過度に正式に解釈されるべきではない。
【００４１】
なお、衝突しない場合には、本発明における実施例及び実施例の中の特徴は、互いに組み合わせることができる。以下に図面を参照しながら実施例を合わせて本発明を詳細に説明する。
【００４２】
図１Ａは本発明の一例示的な実施の形態に係る光学アセンブリにＳＭＡワイヤを提供した時の斜視図を示す。
【００４３】
図１Ａに示すように、本発明の一例示的な実施の形態に係る光学アセンブリは、レンズ群モジュール１０と、ベース２０と、固定装置３０とを備えている。光学アセンブリがスマートデバイスに装着される前に、ＳＭＡワイヤ４０が光学アセンブリに取り付けられる。
【００４４】
レンズ群モジュール１０は、レンズ群１１と、レンズ群１１を囲む矩形状の外枠１２とを備えている。矩形の外枠１２は、４つの側面を有している。図１Ａに示す斜視図では、外枠１２の両側面に設けられた構成を見られる。なお、図１Ａに示されていない外枠１２の他の２つの側面にも類似の構成を有する。
【００４５】
外枠１２の各側面には、それぞれ２つの巻線部である第１の巻線部１３及び第２の巻線部１４を備えた。各側面の第１の巻線部１３及び第２の巻線部１４が外枠１２の一組の対角領域１２Ａに位置する。第１の巻線部１３および第２の巻線部１４は、レンズ群モジュール１０の外枠１２に一体的に形成可能である。
【００４６】
ベース２０は、レンズ群モジュール１０の下方に設けられ、レンズ群モジュール１０を支持する。レンズ群モジュール１０は、ベース２０上に略中央に設けられている。レンズ群モジュール１０は、駆動されると、ベース２０の支持下でレンズ群１１の光軸に沿って移動し、光軸に垂直な平面上を移動することができる。以下、本発明の光学アセンブリの構成を結合してその駆動及び駆動下での移動について、詳細に説明する。
【００４７】
固定装置３０は、レンズ群モジュール１０の外枠１２の他の一組の対角領域１２Ｂに設けられている。固定装置３０は、ベース２０に固定されている。図示するように、固定装置３０は、外枠１２の各側面にそれぞれ対応する固定面、すなわち、外枠１２の４つの側面にそれぞれ対応する４つの固定面を有している。各対角領域１２Ｂには、２つの固定面を有している。図面では、各対角領域１２Ｂに位置する２つの固定面全体がＬ字状に形成されていることを示しているが、各対角領域１２Ｂに位置する２つの固定面は完全に分離していてもよいし、一部分離していてもよい。
【００４８】
固定装置３０は、外枠１２の各側面にそれぞれ対応する固定面に、第１の電源固定端３１と、アース固定端３２と、第２の電源固定端３３とを備えている。第１の巻線部１３に対応する第１の電源固定部３１１は、第１の電源固定端３１に設けられ、第２の巻線部１４に対応する第２の電源固定部３３１は、第２の電源固定端３３に設けられている。第１の巻線部１３に対応する第１のアース固定部３２１と、第２の巻線部１４に対応する第２のアース固定部３２２とは、ともにアース固定端３２に設けられている。第１の電源固定端３１、アース固定端２２、第２の電源固定端３３を含む固定装置３０はベース２０に固定され、第１の電源固定端３１、アース固定端２２及び第２の電源固定端３３のいずれもベース２０と電気的に接続される。第１の電源固定端３１、アース固定端３２および第２の電源固定端３３は互いに離間して電気的に分離され、第１の電源固定端３１および第２の電源固定端３３はそれぞれ給電される。上記電源固定部とアース固定部は電源固定端とアース固定端における固定点又は固定点における固定素子であってもよい。
【００４９】
なお、図１Ａでは、第１の巻線部１３に対応する第１のアース固定部３２１と、第２の巻線部１４に対応する第２のアース固定部３２２とが、ともに同じアース固定端３２に設けられていることを示したが、両者は、それぞれ異なるアース固定端に設けられていてもよい。
【００５０】
図２は、図１Ａに示す実施の形態における固定装置３０の部分拡大図であり、この部分拡大図は、固定装置３０の一つの固定面に対応している。図２から分かるように、アース固定端３２は、第１の電源固定端３１と第２の電源固定端３３との間に位置して、第１の巻線部１３に対応する第１のアース固定部３２１と、第２の巻線部１４に対応する第２のアース固定部３２２とが同じアース固定端３２に共用可能に設けられている。第１の電源固定端３１と、アース固定端３２と、第２の電源固定端３３とは互いに一定の距離を隔てて、相互間の電気的な分離を確保する。上述したように、固定装置３０は、二つのアース固定端を備え、二つのアース固定端には、それぞれ第１の巻線部１３に対応する第１のアース固定部３２１と、第２の巻線部１４に対応する第２のアース固定部３２２が設けられてもよい。なお、電源固定端及びアース固定端は、図示の他の形態とは相違してもよい。
【００５１】
図１Ａ及び図２はさらにレンズ群モジュール１０及び固定装置３０の外側に設置されたＳＭＡワイヤ４０を示した。図示の実施の形態では、各ＳＭＡワイヤ４０は、２つの固定端と１つの可動端とを有している。各ＳＭＡワイヤ４０の２つの固定端（両端部に位置する）は、１組になる電源固定部およびアース固定部にそれぞれ固定され、一つの可動端（中間部に位置する）は、この組になる電源固定部およびアース固定部に対応する巻線部に巻回されている。
【００５２】
第１の巻線部１３と、第１の電源固定部３１１と、第１のアース固定部３２１とは、両端がそれぞれ第１の電源固定部３１１及び第１のアース固定部３２１に固定され、可動端が第１の巻線部１３に巻回されたＳＭＡワイヤ４０の巻線後に形成された２つのＳＭＡワイヤ段は略平行になるように設けられた。第１の巻線部１３には、２つの略平行なＳＭＡワイヤ段にそれぞれ接触する位置を有し、これらの位置をそれぞれ第１の巻線位置と第２の巻線位置と称する。つまり、第１の巻線部１３における第１の巻線位置と第１の電源固定部３１１における固定位置との間の第１の結線と、第１の巻線部１３における第２巻線位置と第１のアース固定部３２１における固定位置との間の第２の結線は、互いに平行である。第２の巻線部１４と、第２の電源固定部３３１と、第２のアース固定部３２２とは、両端がそれぞれ第２の電源固定部３３１および第２のアース固定部３２２に固定され、可動端が第２の巻線部１４に巻回されたＳＭＡワイヤ４０の巻線後に形成される２つのＳＭＡワイヤ段は略平行になるように設けられた。つまり、第２の巻線部１４における第３の巻線位置と第２の電源固定部３３１における固定位置との間の第３の結線と、第２の巻線部１４における第４の巻線位置と第２のアース固定部３２２における固定位置との間の第２の結線は、互いに平行である。前記巻線部および固定部は、互いに平行な第１の結線および第２の結線と互いに平行な第３の結線および第４の結線とは、交差するが互いに接触しないように設けられ、これによって、前記２組の巻線部および固定部に固定・巻回された２本のＳＭＡワイヤが交差するが互いに接触しないように形成される。
【００５３】
例えば、外枠１２の各側面において、第１の巻線部１３の第１の巻線位置および第２の巻線位置と、外枠１２におけるこの第１の巻線部１３がある側面との距離は、同一又は略同一である。第２の巻線部１４の第３の巻線位置および第４の巻線位置と、外枠１２におけるこの第２の巻線部１４がある側面との距離も同一または略同一である。第１の巻線部１３の第１の巻線位置および第２の巻線位置と外枠１２におけるこの第１の巻線部１３がある側面との距離と、第２の巻線部１４の第３の巻線位置および第４の巻線位置と外枠１２におけるこの第２の巻線部１４がある側面との距離は異なる。
【００５４】
また例えば、固定装置３０の各固定面において、第１の電源固定部３１１における固定位置と、前記第１のアース固定部３２１における固定位置とは、この固定面からの距離が同一又は略同一である。第２の電源固定部３３１における固定位置と、第２のアース固定部３２２における固定位置とは、この固定面からの距離が同一または略同一である。第１の電源固定部３１１における固定位置及び前記第１のアース固定部３２１における固定位置とこの固定面との距離は、第２の電源固定部３３１における固定位置及び第２のアース固定部３２２における固定位置とこの固定面との距離と異なる。
【００５５】
上記巻線位置および／または固定位置は、２組の巻線部および固定部に固定・巻回された２本のＳＭＡワイヤが交差するが互いに非接触となるように、側面または固定面から異なる距離に設けられる。２組の巻線部および固定部に固定・巻回された２本のＳＭＡワイヤが交差するが接触しない場合、異なるＳＭＡワイヤが給電駆動される場合、レンズ群１１は光軸に沿って移動し、光軸に垂直な平面上を移動する。
【００５６】
図１Ａに示す実施の形態では、第１の巻線部１３および第２の巻線部１４は、レンズ群１１の光軸に対して垂直に設けられ、光軸に平行な巻線構造を有する。あるいは、巻線部自体が光軸に直交せず、巻線後第１の結線および第２の結線がなす平面が光軸に平行であり、即ち、後述する第１の巻線構造１３１および第２の巻線構造１４１の中心が光軸に対して垂直であってもよい。
【００５７】
なお、図示した外枠１２は矩形であるが、矩形以外の任意の形状であってもよく、巻線部および固定部の位置と構造はＳＭＡワイヤを四角形（好ましくは矩形）に巻回させるように設けられ、四角形の四つの辺がそれぞれ外枠の四つの方向における側面に対応すると共に、これにより後述するようにレンズ群モジュールを動かすことができればよい。例えば、外枠が弧状であり、弧状外面にリールが設けられており、且つ、このリールは固定装置に設けられた電源固定端及びアース固定端と共に四角形に形成してもよい。矩形状に形成することが好ましい。また例えば、固定装置は、円弧型であって、円弧の外面に電源固定端とアース固定端とを設け、電源固定端とアース固定端の形状や寸法が相応に変化することで、リールと共に略矩形の四角形状を形成することができる。
【００５８】
実際には、レンズ群モジュールの外枠は、角度範囲に区分された４つの側面を有し、側面毎の巻線部とこれに対応する固定部とが上記四角形を形成できるように設けられていればよい。角度範囲に区分された４つの側面は、外枠の中心位置を中心点（円中心）として４つの象限を区分し、各象限の角度範囲が１つの側面に対応すると理解すべきである。例えば、矩形の外枠に対して、区分された４つの側面が矩形の４辺に対応している。円形の外枠については、区分された４つの側面が四節の四分の一円弧に対応している。つまり、レンズ群モジュールの外枠は任意の形状であってよく、角度に区分された側面毎に設けられた巻線部と固定装置における該巻線部に対応する固定部とが協働して所望の四辺形構造を形成すればよい。
【００５９】
また、上記実施の形態におけるベースは、本発明の光学アセンブリにおいて必須ではないことも理解されるべきである。例えば、固定装置の底部は、ベースの代わりに１つの支持部を横方向に延在していてもよい。
【００６０】
図３Ａは、図１Ａに示す実施の形態における巻線部の模式図を示す。図３Ａに示すように、第１の巻線部１３及び第２の巻線部１４は、外枠１２の側面から垂直に延びることにより、レンズ群１１の光軸に対して垂直である。第１の巻線部１３および第２の巻線部１４には、それぞれ光軸に平行な第１の巻線構造１３１および第２の巻線構造１４１が設けられている。例えば、第１の巻線構造１３１および第２の巻線構造１４１は、ＳＭＡワイヤが巻回するように、第１の巻線部１３および第２の巻線部１４のそれぞれに設けられた凹溝構造である。図示するように、第１の巻線構造１３１および第２の巻線構造１４１は、それぞれ外枠１２の側面から異なる距離に設けられ、これによって、固定装置３０における固定部が固定面から同じ距離に設けられると、上記のように固定・巻回された２本のＳＭＡワイヤ４０が交差するが接触しない。図３Ａに示す第１の巻線部１３及び第２の巻線部１４はほぼ同じの長さを有し、第１の巻線構造１３１および第２の巻線構造１４１が、第１の巻線部１３及び第２の巻線部１４の頭部又は先端から異なる位置にそれぞれ形成されている。なお、巻線部の構成はこれに限定されず、例えば、長さの異なる第１の巻線部１３及び第２の巻線構造１４１を用いることができ、第１の巻線構造１３１および第２の巻線構造１４１が第１の巻線部及び第２の巻線部の頭部又は先端から同じ位置にそれぞれ形成されている。第１の巻線構造および第２の巻線構造がそれぞれ外枠１２の側面から異なる位置に形成されていればよい。別の実施の形態において、第１の巻線構造１３１および第２の巻線構造１４１は、外枠１２の側面と同じ距離に形成し、固定装置における巻線部に対応する固定部が該固定部がある固定面から異なる距離だけ離れて形成されてもよい。
【００６１】
図１Ｂは本発明の他の例示的な実施の形態に係る光学アセンブリにＳＭＡワイヤを提供した時の斜視図を示す。図１Ｂに示す実施の形態の主な相違点は、図１Ａに示す実施の形態と比較して、巻線部の構成である。図１Ｂの第１の巻線部１５および第２の巻線部１６は、ほぼＬ字状の構造を有し、巻線構造を有する本体がレンズ群１１の光軸と平行に設けられ、光軸に垂直な巻線構造１５１および１６１を有する。
【００６２】
上記実施の形態では、ＳＭＡワイヤの取り付けを容易にするために、電源固定端とそれに対応するアース固定端との高さが互いに異なってもよい。つまり、第１の電源固定部における固定位置と第１のアース固定部における固定位置とは、外枠の対応する側面との距離が異なり、第２の電源固定部における固定位置と第２のアース固定部における固定位置とは、外枠の対応する側面との距離が異なる。このとき、電源固定端とアース固定端との全体の高さが異なっていてもよいし、電源固定端及びアース固定端における固定位置が異なる高さに設けられていてもよい。
【００６３】
なお、巻線部自体の形状および構造は、光軸に垂直または平行でなくてもよく、その上の巻線構造が上記実施の形態のように光軸に対して平行または垂直であればよい。さらに、実際の必要に応じて巻線構造と光軸との間に夾角を形成し、夾角の存在によりＳＭＡが収縮時により高い一様性を有するようにすることもできる。
【００６４】
図３Ｂは、図１Ｂに示す実施の形態における巻線部の模式図を示す。図３Ｂに示すように、第１の巻線部１５及び第２の巻線部１６は、その本体がレンズ群１１の光軸と平行であり、その本体から外枠１２の側面まで延びる接続構造を有する。また、光軸に平行な第１の巻線部１５及び第２の巻線部１６は、追加の接続具を介して外枠１２の側面に接続されていてもよい。外枠１２の側面には、光軸に垂直な第１の巻線構造１５１及び第２の巻線構造１６１がそれぞれ設けられている。図示するように、第１の巻線構造１５１及び第２の巻線構造１６１は、それぞれ外枠１２の側面から異なる距離に設けられ、これによって、固定装置３０における固定部が固定面から同じ距離に設けられると、上記のように固定・巻回された２本のＳＭＡワイヤ４０が交差するが接触しない。別の実施の形態において、第１の巻線構造および第２の巻線構造は、外枠１２の側面から同じ距離に形成され、固定装置における巻線部に対応する固定部は、該固定部がある固定面から異なる距離だけ離れて形成されてもよい。
【００６５】
図３Ａ及び図３Ｂに示す巻線構造は、いずれも「工」字型、すなわち、両端が広く、中間が両端に対して一定の窪み距離を有する構造である。窪み距離で構成された凹部は、ＳＭＡワイヤを収容し、ＳＭＡワイヤが駆動している間に意図しない移動が生じることを規制するためのものである。あるいは、Ｔ字型の巻線構造を採用して、ＳＭＡワイヤが駆動期間中に脱落することを防止してもよい。さらに、ワイヤ構造に、キノコの頭に類似する構造を追加して、ＳＭＡワイヤの位置を規制し、ＳＭＡワイヤがリールから脱落することを防止してもよい。この構造が、ねじ穴にネジをねじ込む構造、または位置決め穴に位置決めピンを挿入する構造などの類似する構造であってもよい。ねじ込みの最後に、ねじ穴とねじとの間に環状隙間が存在し、この環状隙間はＳＭＡワイヤを取り付けるために用いられる。ネジの頭部が比較的大きいため、ＳＭＡワイヤに対するストッパ効果が増強される。
【００６６】
図４Ａ及び図４Ｂは本発明の例示的な実施の形態に係る２種類の巻線形状を示す。具体的には、図４ＡはＳＭＡワイヤ４０がＵ形状の構造で巻設された模式図を示し、図４Ｂは、ＳＭＡワイヤがＯ／α形状の構造で巻設された模式図を示す。
【００６７】
図示の実施の形態では、各ＳＭＡワイヤは、巻線後にＵ形状またはＯ／α形状の２重線構造となっており、従来の単線構造に対して、より高い構造強度、より高い安定性、より小さい姿勢差、より高い合焦精度などを有する。２重線構造によりＳＭＡワイヤの構造強度を強くし、ＳＭＡワイヤに、例えばガラスレンズ群というより重いレンズ群または現在のレンズ群に比べてより多くのレンズを有するレンズ群を搭載させて、モジュール全体の品質をより向上させることができる。
【００６８】
図５は本発明の一例示的な実施の形態に係る光学アセンブリにＳＭＡワイヤを提供した時の平面図を示す。次に、本発明の光学アセンブリの、ＳＭＡワイヤの駆動による各方向への移動について、図５を用いて説明する。
【００６９】
図５に示すように、本発明の光学アセンブリによれば、各側面にＳＭＡワイヤが提供されている。なお、図５には示されていないが、上述の説明から理解されるように、各側面には、２本の互いに交差するが接触しないＳＭＡワイヤがあり、１本のＳＭＡワイヤのみではない。図５には、外枠１２の対角領域１２Ａに設けられた巻線部１３、１４と、対角領域１２Ｂに設けられた固定装置３０とが示されている。なお、図５に示す巻線部は光軸に平行であるが、巻線部は光軸に対して垂直であってもよい。説明の便宜上、光学アセンブリの外枠の４つの側面を、図５に示すように、第１の側面１、第２の側面２、第３の側面３、および第４の側面４のそれぞれに、反時計回りに番号付けする。なお、図５に示すように、光軸に垂直な平面を直交座標系で示し、図５にｘ軸およびｙ軸を示す。図５に示す座標系によれば、ｘｙ平面に垂直な方向をｚ軸、当該平面に対して垂直な上方向をｚ＋方向、その平面に対して垂直な下方向をｚー方向とすることができる。
【００７０】
図５に示すように、四つの側面は二組に分かれており、対向する二つの側面は一組になる。具体的には、第１の側面１と第３の側面３とは１組になり、レンズ群１１のｘ方向の動きを制御する。第２の側面２と第４の側面４とは、１組になり、レンズ群１１のｙ方向の動きを制御する。
【００７１】
上述したように、本発明のカメラモジュールでは、固定装置３０がベース２０に固定されているため、固定装置３０及びその上の固定部は、レンズ群１１の移動中に位置が変わらない。レンズ群を駆動して該レンズ群をｘ＋方向に移動させる必要がある場合、第３の側面の２本のＳＭＡワイヤに電流を印加し、第３の側面のＳＭＡワイヤは通電後所定量の温度上昇することで所定量の長さだけ収縮する。ＳＭＡワイヤの両端が固定装置３０に固定されているため、ＳＭＡワイヤの両端の位置は不変である。２本のＳＭＡワイヤの長さが収縮すると、巻線部に巻回された可動端から共に巻線部にｘ＋方向への力が加わり、レンズ群１１がｘ＋方向に所定の距離だけ移動する。第３の側面のＳＭＡワイヤにｘ＋方向の力を加えてレンズ群をｘ＋方向に移動させる場合、第１の側面のＳＭＡワイヤは、レンズ群モジュールのｘ＋方向への移動に伴って引っ張られる。レンズ群モジュールが所望の位置に到達して安定した状態を維持した後、第３の側面のＳＭＡワイヤの温度を下げて、レンズ群モジュールを所望の位置に安定して保持させ、相応する合焦やズーム機能を実現する。
【００７２】
同様に、レンズ群モジュールを駆動して該レンズ群モジュールをｘー方向に移動させる必要がある場合には、第１の側面のＳＭＡワイヤに電流を印加し、第１の側面のＳＭＡワイヤを収縮させてレンズ群をｘー方向に移動させる。このとき、第３の側面のＳＭＡワイヤは、レンズ群モジュールのｘー方向への移動に伴って引っ張られる。
【００７３】
レンズ群を駆動して該レンズ群をｙ＋方向に移動させる必要がある場合には、第４の側面の２本のＳＭＡワイヤに電流を印加し、第４の側面のＳＭＡワイヤは通電後所定量の温度上昇することで所定量の長さだけ収縮する。ＳＭＡワイヤの両端が固定装置３０に固定されているため、ＳＭＡワイヤの両端の位置は不変である。２本のＳＭＡワイヤ長が収縮すると、巻線部に巻回された可動端から共に巻線部にｙ＋方向への力が加わり、レンズ群１１をｙ＋方向に所定の距離だけ移動させる。第４の側面のＳＭＡワイヤにｙ＋方向の力を加えてレンズ群をｙ＋方向に移動させる場合、第２の側面のＳＭＡワイヤは、レンズ群モジュールのｙ＋方向への移動に伴って引っ張られる。レンズ群モジュールが所望の位置に到達して安定した状態を維持した後、第４の側面のＳＭＡワイヤの温度を下げて、レンズ群モジュールを所望の位置に安定して保持させて合焦またはズーム機能を実現する。
【００７４】
同様に、レンズ群モジュールを駆動して該レンズ群モジュールをｙー方向に移動させる必要がある場合には、第２の側面のＳＭＡワイヤに電流を印加し、第２の側面のＳＭＡワイヤを収縮させてレンズ群をｙー方向に移動させる。このとき、第４の側面のＳＭＡワイヤは、レンズ群モジュールのｙー方向への移動に伴って引っ張られる。
【００７５】
なお、図５には示していないが、ＳＭＡワイヤの駆動により、レンズ群モジュールをｘ、ｙ方向に適切な距離だけ移動させて、光学防振機能を実現できるように、ベースに支持されたレンズ群モジュールの縁と固定装置との間に適切な距離を設定する。
【００７６】
レンズ群モジュールをｘ方向およびｙ方向に移動させたとき光軸の軸方向における位置が一定に保たれるように、側面毎の２本のＳＭＡワイヤは、両者の交差位置に対して略対称に設けられて、ほぼ同じ電流が印加された場合に、巻線部に印加された力がほぼ同じであり、これによって、両者に加わる力の軸方向成分がほぼ相殺される。
【００７７】
以上において、巻線部と固定部とは、側面毎の２本のＳＭＡワイヤが交差するが接触しないように設けられている。つまり、側面毎の２本のＳＭＡワイヤのうちの１本が上寄りの固定部と下寄りの巻線部とに対応して設けられ、他の１本が下寄りの固定部と上寄りの巻線部とに対応して設けられることにより、２本のＳＭＡワイヤの交差関係が形成される。
【００７８】
レンズ群を駆動して該レンズ群をｚ＋方向に移動する必要があるとき、側面毎の２本のＳＭＡワイヤのうち、固定部が上寄りの位置にある１本のＳＭＡワイヤに電流が印加される。つまり、合計４本の、固定部が上寄りの位置にあるＳＭＡワイヤに電流が印加され、通電されたＳＭＡワイヤが昇温して所定量の長さだけ収縮する。４本のＳＭＡワイヤの長さが収縮すると、巻線部に巻回された可動端から共に巻線部にｚ＋方向への力が加わり、レンズ群１１がｚ＋方向に所定の距離だけ移動する。レンズ群モジュールが所望の位置に到達して安定した状態を維持した後、第４の側面のＳＭＡワイヤの温度を下げて、レンズ群モジュールを所望の位置に安定して保持させて合焦またはズーム機能を実現する。
【００７９】
同様に、レンズ群モジュールを駆動して該レンズ群モジュールをｚー方向に移動させる必要がある場合、側面毎の２つのＳＭＡワイヤのうち、固定部が下寄りの位置にある１本のＳＭＡワイヤに電流を印加し、通電したＳＭＡワイヤを収縮させて共にレンズ群をｚー方向に移動させる。これにより、レンズ群のオートフォーカス機能が実現される。
レンズ群モジュールをｚ方向に移動させたときにｘ方向とｙ方向の位置が一定に保たれるように、隣接する側面のＳＭＡワイヤは、隣接する側面の間の境界線に対して略対称に設けられて、ほぼ同じ電流が印加された場合に、巻線部に加わる力のｘ方向とｙ方向における成分がほぼ相殺される。
【００８０】
図６Ａは本発明のさらに他の例示的な実施の形態に係るカメラモジュールにＳＭＡワイヤを提供した時の斜視図である。図１Ａに示す実施の形態との違いは、レンズ群モジュール１０の外枠１２に巻線部の代わりに可動端固定部を設けた点である。図６Ａに示すように、レンズ群モジュール１０の外枠に第１の可動端固定部１７と第２の可動端固定部１８を設け、ＳＭＡワイヤのＵ形状の構造を挟持して固定することにより、ＳＭＡワイヤがレンズ群の移動時にリールと擦れることを回避できる。
【００８１】
図６Ｂは、図６Ａに示す実施の形態の可動端固定具の部分拡大図である。図６Ｃは、図６Ａに示す実施の形態における可動端固定具の内部構造を示す図である。
【００８２】
巻線部の代わりに可動端固定部を用いる場合、Ｕ形状の巻線構造が形成する２つの平行するＳＭＡワイヤ段のいずれかＳＭＡワイヤ段も、巻線構造の近傍の少なくとも１点で可動端固定部に固定されることに相当する。この場合、上述した巻線部の第１の巻線位置および第２の巻線位置は、可動端固定部の第１の固定位置および第２の固定位置であってもよい。
【００８３】
このとき、可動端固定部によって内部に固定されたＳＭＡワイヤの通電による歪みがレンズ群の動きに対して直接的または積極的に作用しないため、ＳＭＡワイヤがＵ形状の構造において別体構造に形成でき、すなわちＳＭＡワイヤの、可動端固定部によって内部に固定された部分を除去できる。事実、このような構造は、図１Ａから図４の実施の形態における１本のＳＭＡワイヤを２本のＳＭＡワイヤに分割し、２本のＳＭＡワイヤそれぞれの一端が可動端固定部に接続され、２本のＳＭＡワイヤそれぞれの他端がそれぞれ当該可動端固定部に対応する電源固定部およびアース固定部に接続されることに相当する。
【００８４】
この場合、２本のＳＭＡワイヤが可動端固定部の両端部間で一般的な導電性素子により電気的接続を実現でき、一般的な導電性素子の抵抗がＳＭＡワイヤの抵抗よりも小さいため、一般的な導電性素子により電気的接続を実現するのは、可動端固定部に固定されたＳＭＡワイヤが受ける電圧を低減し、電力損失を低減し、電力利用効率を高めることができる。
【００８５】
本実施例では、第１のＳＭＡワイヤおよび第２のＳＭＡワイヤがともに２本のワイヤであり、かつ第１のＳＭＡワイヤの両端がそれぞれ可動端および固定端に固定され、第２のＳＭＡワイヤも同様である。
【００８６】
一例示的な実施の形態では、２本のＳＭＡワイヤが同時に取り付けられ、予めやや大きめの長さを残すことができる。可動端固定部には、実際の必要に応じて必要な線長を切り出すことができる。可動端固定部の内部とＳＭＡワイヤとが接触する位置は、導電可能な金属構造であることで、可動端固定部の内部に挟まれたワイヤが直接に短絡され、可動端固定部から直接に電流が流れ、２本のＳＭＡワイヤの間の電気的接続が可能となり、電気回路に形成し、ＳＭＡワイヤを正常に動作させることができる。
【００８７】
図６Ａに示すＵ形状の構造を可動端固定部で固定する態様では、同一の可動端固定部に固定された２本のＳＭＡワイヤの間は、２本のＳＭＡワイヤがよりよく同期運動できるように、１本のＳＭＡワイヤの線径の程度の距離だけ離れる。あるいは、同一の可動端固定部に固定された２本のＳＭＡワイヤの間は、互いに接触しにくく、互いの摩擦を回避するように、もっと大きい距離であってもよい。
【００８８】
図６Ａに示すように、同一の側面の２つの可動端固定部は異なる大きさを有することによって、一方の可動端固定部における可動端固定位置と該側面との間の距離と他方の可動端固定部における可動端固定位置と該側面との距離が異なる。
【００８９】
図７は本発明のさらに他の例示的な実施の形態に係るカメラモジュールにＳＭＡワイヤを提供した時の斜視図を示す。図７の実施の形態においても、図６Ａに示す実施の形態と同様に、巻線部の代わりに可動端固定部が採用されている。図６Ａの実施の形態と異なるのは、図７の実施の形態においても、固定装置３０に類似の固定部材を採用している点である。図７に示すように、固定装置３０は、互いに電気的に分離された電源固定端及びアース固定端を備えておらず、固定装置に第１の固定具３４及び第２の固定具３５が設けられている。第１の固定具３４には、第１の電源固定部３１１と第１のアース固定部３１２とが互いに電気的に絶縁されて固定されている。第２の固定具３５には、第２の電源固定部３３１と第２のアース固定部３２２とが互いに電気的に絶縁されて固定されている。すなわち、固定端により直接に配線基板と電気的に接続する方式に代えることができるように、可動端が可動端固定部に固定された各ＳＭＡワイヤの両端は、同一の絶縁性を有する固定具により固定され、両端のピッチがワイヤの直径と同じかそれよりも大きく、ＳＭＡワイヤの両端をそれぞれ外部に引き出し、配線基板と電気的に接続する。ＳＭＡワイヤと固定装置の間を接着剤で接着してＳＭＡワイヤを固定装置に固定してもよいし、固定装置の内部に導電性素子を内蔵することにより、ＳＭＡワイヤと配線板との電気的接続を導電性素子により実現してもよく、他の方式でＳＭＡワイヤと配線板との電気的接続を実現してもよい。
【００９０】
図７に示す実施の形態では、交差する２本のＳＭＡワイヤは、レンズ群の運動時のＳＭＡワイヤの相互摩擦を回避するように、等しいまたはほぼ等しい長さを有している。固定端がＳＭＡワイヤを介して回路基板と直接に電気的に接続される場合、固定端の上方に位置するＳＭＡワイヤが下方に延びる経路は、図示のものに限られない。
【００９１】
１つの選択として、交差する２本のＳＭＡワイヤは異なる長さを有していてもよい。図８に示すように、交差する２本のＳＭＡワイヤは、異なる長さを有していてもよい。この場合、固定装置における固定具から引き出されたＳＭＡワイヤは、そのまま下方に延び、配線基板と電気的に接続することができる。
【００９２】
図７及び図８に示す実施の形態では、固定装置における固定具から外に引き出されたＳＭＡワイヤが配線板に接続され、ＳＭＡワイヤが熱収縮する特性があるため、ＳＭＡワイヤが取り付け時に予め一定の長さを残してワイヤが断線することを防止する必要がある。１つの選択として、ＳＭＡワイヤは、固定具のみまで接続され、かつ従来のリード線やインサートモールディングによって電気的接続を実現してもよい。
【００９３】
図９Ａは本発明のさらに他の例示的な実施の形態に係るカメラモジュールにＳＭＡワイヤを提供した時の斜視図を示す。図９Ｂは、図９Ａに示す実施の形態の一側面を示す側面図である。
【００９４】
図９Ａ及び図９Ｂに示す実施の形態と図１Ａに示す実施の形態との違いは、第１の巻線部及び第２の巻線部が光軸に平行な同一の軸部材１９上の二つの部分で形成され、第１の巻線部および第２の巻線部を形成する軸部材が外枠の、該軸部材がある側面から外方に延びる支持具１９１に設けられている点である。このように第１の巻線部および第２の巻線部が形成されると、軸部材１９および支持具１９１は、射出プロセスによりカメラモジュールのレンズ群および外枠１２と一体に形成され、製造プロセスが簡略化される。
【００９５】
なお、上記実施の形態における巻線部および可動端固定部を他の支持部材として実施でき、ＳＭＡワイヤの可動端に支持作用を与えるとともに、ＳＭＡワイヤが収縮によって力を加えられた場合にレンズ群モジュールをＳＭＡワイヤの収縮に伴って移動させればよいことが理解される。
【００９６】
ＳＭＡの可動端に支持作用を持ち、ＳＭＡワイヤが収縮したときにＳＭＡに駆動されて移動可能な支持部を用いる場合、支持位置は、上述した実施の形態における巻線位置に対応する。したがって、幾つかの実施の形態において、第１の支持部における第１の支持位置と第１の電源固定部における固定位置との間の第１結線と、第１の支持部における第２の支持位置と第１のアース固定部における固定位置との間の第２の結線は、互いに平行であり、第２の支持部における第３の支持位置と第２の電源固定部における固定位置との間の第３の結線と、第２の支持部における第４の支持位置と第２のアース固定部における固定位置との間の第４の結線は、互いに平行であり、互いに平行になる第１結線及び第２の結線と互いに平行になる第３の結線及び第４の結線とは、交差するが互いに非接触である。幾つかの実施の形態では、外枠の各側面において、第１の支持位置及び第２の支持位置と外枠の、第１の支持位置及び第２の支持位置がある側面との距離は、第３の支持位置及び第４の支持位置と外枠の、第３の支持位置及び第４の支持位置がある側面との距離と異なる。
【００９７】
図１０は、本発明の実施の形態に係る光学アセンブリがＳＭＡワイヤに巻回されたときの斜視図を模式的に示している。具体的には、図１０は、外枠１２の４側面にＳＭＡワイヤ４０が２本ずつ設けられ、各ＳＭＡワイヤの固定端が固定装置３０に固定され、可動端が支持部１３、１４に支持されていることを示した。
【００９８】
以上説明した、添付図面に示す構成によれば、ＳＭＡワイヤを有するカメラモジュールの実施の形態も提供される。
【００９９】
一例示的な実施の形態によれば、カメラモジュールは、外枠を有するレンズ群モジュールと、レンズ群モジュールの下方に設置されかつレンズ群モジュールを支持するためのベースと、レンズ群モジュールの外枠を四角形に囲んで設置されたＳＭＡワイヤを備え、ここで、四角形の４辺のそれぞれは、外枠の４方向の側面に対応しており、外枠の側面のそれぞれにおいて、ＳＭＡワイヤは、第１のＳＭＡワイヤおよび第２のＳＭＡワイヤを含み、ここで、第１のＳＭＡワイヤと第２のＳＭＡワイヤは、互いに交差するが接触しないように設けられている。本実施の形態では、上記実施の形態における固定装置及び支持部（巻線部及び可動端固定部を含む）の構成及び位置については、特に限定されない、レンズ群モジュールの外枠側面に設けられたＳＭＡがレンズ群モジュールの外枠を四角形に囲んで設けられるとともに、四角形の各辺にある２本のＳＭＡワイヤが互いに交差するが接触しないことにより異なる駆動でレンズ群を必要な方向に移動させることができれば、本発明の目的を達成することができる。
【０１００】
一実施の形態においては、上記の四角形は矩形である。
【０１０１】
一例示的な実施の形態では、外枠の各側面には、第１のＳＭＡワイヤおよび第２のＳＭＡワイヤは、それぞれ固定端及び可動端を有し、固定端が外枠の各側面の一端に対応する位置に設けられ、可動端が外枠の各側面の他端に支持され、固定端がベースに対して固定され、可動端が外枠に対して固定され、ＳＭＡワイヤが変形すると、可動端がレンズ群モジュールをベースに対して移動させる。以上はレンズ群モジュールの外枠の側面にあるＳＭＡワイヤが異なる駆動モードでそれぞれどのような収縮及び移動を行うことにより光学防振と自動合焦を実現する具体的な状況を詳細に説明したため、ここでは説明を省略する。以上図面を参照して説明した各実施の形態における全ての技術的特徴は衝突がない場合にいずれもＳＭＡワイヤを有するカメラモジュールの実施の形態に適用される。
【０１０２】
例えば、一実施の形態において、第１のＳＭＡワイヤおよび第２のＳＭＡワイヤの少なくとも一方は折り畳まれたことにより、２つの固定端および１つの可動端を有し、第１のＳＭＡワイヤおよび第２のＳＭＡワイヤの少なくとも一方の２つの固定端は、ベースに対して固定され隣接する位置に設けられる。これにより、折り畳まれたＳＭＡワイヤの両端は、互いに略平行となる。
【０１０３】
一実施の形態においては、第１のＳＭＡワイヤおよび第２のＳＭＡワイヤの少なくとも一方の可動端が、レンズ群モジュールの外枠に支持されている。上述したように、可動端はレンズ群モジュールの外枠に巻回又は固定により支持されていてもよく、可動端が外枠に支持される態様は巻回及び固定に限られない。
【０１０４】
一実施の形態では、第１のＳＭＡワイヤおよび第２のＳＭＡワイヤの少なくとも一方は２つのＳＭＡワイヤ段に折り畳まれ、２つのＳＭＡワイヤ段は互いに平行で同じ長さを有している。別の実施の形態において、２つのＳＭＡワイヤ段は、異なる長さを有していてもよい。
【０１０５】
一実施の形態では、外枠の隣接する側面にあるＳＭＡワイヤが対称に設けられることにより、光学防振を実現するために略同一の電流を印加した場合、外枠における支持箇所又は支持部に加わる力はｘ方向とｙ方向における成分がほぼ相殺される。一実施の形態では、外枠の各側面において、第１のＳＭＡワイヤと第２のＳＭＡワイヤとが互いに対称でほぼ同じ長さに設定されて、フォーカス時に略同一の電流が印加された場合も、外枠における支持箇所または支持部にかかる力がほぼ同じく、これによって、第１のＳＭＡワイヤと第２のＳＭＡワイヤからの力の軸方向の成分がほぼ相殺される。一実施の形態においては、外枠の各側面において、第１のＳＭＡワイヤおよび第２のＳＭＡワイヤは、互いに対称な少なくとも一部を有するように配置されている。
【０１０６】
一実施の形態では、外枠の各側面において、第１のＳＭＡワイヤおよび第２のＳＭＡワイヤの可動端が側面毎に異なる距離離間している。一実施の形態では、外枠の各側面において、第１のＳＭＡワイヤと第２のＳＭＡワイヤの固定端が側面毎に異なる距離離間している。これにより、各側面にある２本のＳＭＡワイヤが収縮により移動する過程において、互いの間で擦れが発生してレンズ群モジュールの位置に悪影響を及ぼすことがない。
【０１０７】
一実施の形態では、レンズ群モジュールは、外枠の各側面に第１の支持部および第２の支持部を有し、第１の支持部および第２の支持部は、それぞれ第１のＳＭＡワイヤおよび第２のＳＭＡワイヤを支持する。
【０１０８】
一実施の形態では、第１の支持部および第２の支持部のうち少なくとも第１の支持部は巻線部であり、第１のＳＭＡワイヤは巻線部に巻回されている。
【０１０９】
一実施の形態では、巻線部は、レンズ群モジュールの光軸に対して垂直に設けられ、光軸に平行な巻線構造を有することにより、第１のＳＭＡワイヤが光軸に平行に巻線構造に巻回される。一実施の形態では、巻線部は、レンズ群モジュールの光軸と平行に設けられ、光軸に垂直な巻線構造を有することにより、第１のＳＭＡワイヤは光軸に垂直に巻線構造に巻回される。一実施の形態では、巻線部はＴ字型又は工字型の巻線構造を有し、第１のＳＭＡワイヤは巻線部のＴ字型又は工字型の巻線構造に巻回されている。
【０１１０】
一実施の形態では、第１の支持部および第２の支持部のうち少なくとも第１の支持部は、可動端固定部であり、第１のＳＭＡワイヤは、可動端固定部に固定されている。一実施の形態では、第１のＳＭＡワイヤは、２段に分離されたＳＭＡワイヤ段を含み、可動端固定部の内部には、２段に分離されたＳＭＡワイヤ段の間に設けられた導電性素子をさらに含む。一般的な導電性素子の電気抵抗率はＳＭＡの電気抵抗率よりも大きいため、ＳＭＡワイヤは、より多くの電圧を得ることができ、電力利用率を向上させることができる。別の実施の形態において、第１のＳＭＡワイヤは、分離された２段のＳＭＡワイヤ段ではなく、１本のＳＭＡワイヤを含んでいてもよい。この場合、可動端固定部において、追加の導電性素子を用いる必要がない。
【０１１１】
また、衝突が生じていない場合には、上記のいずれかの実施の形態に記載された技術的特徴の全て又は一部が、他の例示的な実施の形態に用いられてもよいことはもちろんである。例えば、図１Ａに示す実施の形態では、一方の巻線部を可動端固定部に置き換え、他方の巻線部がそのまま図１Ａに示す巻線部または他の構成の巻線部を採用できる。
【０１１２】
以上の説明は本発明の好ましい実施の形態及び運用技術原理への説明だけである。当業者であれば、本発明に係る技術的な範囲は、上記の技術的特徴を特定に組み合わせたものに限らず、本発明の趣旨を逸脱しない限りにおいて、上述した技術的特徴やその均等の特徴から任意に組み合わせて形成される他の技術的手段をも包含するものである。上記の他の技術的手段は、例えば、上述した特徴と本発明において開示される（ただし、開示に限らず）類似の機能を有する技術的特徴とが相互に入れ替えて形成されたものである。
【０１１３】
本発明は２０１７年１２月８日に中国国家知識産権局に提出された第２０１７１１２９９０５７．６号中国特許出願及び第２０１７２１７０００６７．１号中国特許出願の優先権を要求し、上記出願の全ての内容は引用により本明細書に組み込まれる。
【図１Ａ】
2021504745.tif 000003
【図１Ｂ】
2021504745.tif 000004
【図２】
2021504745.tif 000005
【図３Ａ】
2021504745.tif 000006
【図３Ｂ】
2021504745.tif 000007
【図４Ａ】
2021504745.tif 000008
【図４Ｂ】
2021504745.tif 000009
【図５】
2021504745.tif 000010
【図６Ａ】
2021504745.tif 000011
【図６Ｂ】
2021504745.tif 000012
【図６Ｃ】
2021504745.tif 000013
【図７】
2021504745.tif 000014
【図８】
2021504745.tif 000015
【図９Ａ】
2021504745.tif 000016
【図９Ｂ】
2021504745.tif 000017
【図１０】
2021504745.tif 000018
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
光学アセンブリであって、
角度範囲に区分された４つの側面を備える外枠を有するレンズ群モジュールであって、前記外枠の各側面には、前記外枠の一組の対角領域に位置する第１の支持部および第２の支持部をそれぞれ備えるレンズ群モジュールと、
前記レンズ群モジュールの前記外枠の他の一組の対角領域に設けられ、前記外枠の各側面にそれぞれ対応する固定面には、それぞれ前記第１の支持部に対応する第１の電源固定部および第１のアース固定部と、前記第２の支持部に対応する第２の電源固定部および第２のアース固定部とを有する固定装置と、
備えることを特徴とする光学アセンブリ。
【請求項２】
前記レンズ群モジュールの下方に設けられ、前記レンズ群モジュールを支持し、前記固定装置を固定するベースを備えることを特徴とする請求項１に記載の光学アセンブリ。
【請求項３】
前記第１の支持部および前記第２の支持部は、前記レンズ群モジュールの前記外枠に一体的に形成されていることを特徴とする請求項１に記載の光学アセンブリ。
【請求項４】
前記第１の支持部と、前記第２の支持部と、前記第１の電源固定部と、前記第１のアース固定部と、前記第２の電源固定部と、前記第２のアース固定部との位置は、
前記第１の支持部における第１の支持位置と前記第１の電源固定部における固定位置との間及び前記第１の支持部における第２の支持位置と前記第１のアース固定部における固定位置との間には、第１の結線及び第２の結線を含む第１の組の結線が形成され、
前記第２の支持部における第３の支持位置と前記第２の電源固定部における固定位置との間及び前記第２の支持部における第４の支持位置と前記第２のアース固定部における固定位置との間には、第３の結線及び第４の結線を含む第２の組の結線が形成され、
前記第１の組の結線と前記第２の組の結線が交差するが互いに接触しないように設置されたことを特徴とする請求項１に記載の光学アセンブリ。
【請求項５】
前記第１の支持部、前記第２の支持部、前記第１の電源固定部、前記第１のアース固定部、前記第２の電源固定部、前記第２のアース固定部の位置は、
前記第１の結線と前記第２の結線が互いに平行になり、前記第３の結線と前記第４の結線が互いに平行になるように設置されたことを特徴とする請求項４に記載の光学アセンブリ。
【請求項６】
前記外枠の各側面において、前記第１の支持位置および前記第２の支持位置と前記外枠の、該第１の支持位置および該第２の支持位置がある側面との距離は、前記第３の支持位置および前記第４の支持位置と前記外枠の、該第３の支持位置および該第４の支持位置がある側面との距離と異なることを特徴とする請求項４に記載の光学アセンブリ。
【請求項７】
前記固定装置の各固定面において、前記第１の電源固定部における固定位置及び前記第１のアース固定部における固定位置と前記固定面との距離は、前記第２の電源固定部における固定位置及び前記第２のアース固定部における固定位置と前記固定面との距離と異なることを特徴とする請求項１に記載の光学アセンブリ。
【請求項８】
前記第１の支持部および前記第２の支持部のうち少なくとも前記第１の支持部は、巻線部であり、前記巻線部の巻線構造が前記第１の支持位置および前記第２の支持位置に対応する位置に設けられたことを特徴とする請求項１に記載の光学アセンブリ。
【請求項９】
前記巻線部は、前記光軸に平行又は垂直な巻線構造を有することを特徴とする請求項８に記載の光学アセンブリ。
【請求項１０】
前記第１の支持部および前記第２の支持部のうち少なくとも前記第１の支持部は、可動端固定部であることを特徴とする請求項１に記載の光学アセンブリ。
【請求項１１】
前記可動端固定部は、前記第１の支持位置および前記第２の支持位置にそれぞれ対応する第１の可動端固定位置および第２の可動端固定位置を含むことを特徴とする請求項１０に記載の光学アセンブリ。
【請求項１２】
前記可動端固定部の内部には、前記第１の可動端固定位置と前記第２の可動端固定位置との間に設けられた導電性素子をさらに含むことを特徴とする請求項１１に記載の光学アセンブリ。
【請求項１３】
前記固定装置は、
前記第１の電源固定部と前記第１のアース固定部とがそれぞれ設けられる第１の電源固定端及び第１のアース固定端及び／又は
前記第２の電源固定部と前記第２のアース固定部とがそれぞれ設けられる第２の電源固定端及び第２のアース固定端を備えることを特徴とする請求項１に記載の光学アセンブリ。
【請求項１４】
前記固定装置は、
第１の固定具及び／又は第２の固定具を備え、
前記第１の固定具には、前記第１の電源固定部と前記第１のアース固定部とが互いに電気的に絶縁されて固定されており、
前記第２の固定具には、前記第２の電源固定部と前記第２のアース固定部とが互いに電気的に絶縁されて固定されていることを特徴とする請求項１に記載の光学アセンブリ。
【請求項１５】
前記外枠の各側面に対応する第１の支持部と、第２の支持部と、第１の電源固定部と、第１のアース固定部と、第２の電源固定部と、第２のアース固定部と、この側面に隣接する側面に対応する第１の支持部と、第２の支持部と、第１の電源固定部と、第１のアース固定部と、第２の電源固定部と、第２のアース固定部とは、対称に設けられていることを特徴とする請求項１に記載の光学アセンブリ。
【請求項１６】
前記外枠の各側面における前記第１の支持部と前記固定装置の、該第１の支持部がある側面に対応する固定面における前記第１の電源固定部及び第１のアース固定部との距離は、前記外枠の各側面における前記第２の支持部と前記固定装置の、該第２の支持部がある側面に対応する固定面における前記第２の電源固定部及び第２のアース固定部との距離と同じであることを特徴とする請求項１に記載の光学アセンブリ。
【請求項１７】
前記外枠の各側面における前記第１の支持部と前記固定装置の、該第１の支持部がある側面に対応する固定面における前記第１の電源固定部及び第１のアース固定部との距離は、前記外枠の各側面における前記第２の支持部と前記固定装置の、該第２の支持部がある側面に対応する固定面における前記第２の電源固定部及び第２のアース固定部との距離と異なることを特徴とする請求項１に記載の光学アセンブリ。
【請求項１８】
請求項１に記載の光学アセンブリを含むことを特徴とするカメラモジュール。
【請求項１９】
前記カメラモジュールの前記外枠を囲むように設置され、前記カメラモジュールを駆動して該カメラモジュールを複数の方向に移動させるためのＳＭＡワイヤを備えることを特徴とする請求項１８に記載のカメラモジュール。
【請求項２０】
前記外枠の各側面には、前記ＳＭＡワイヤはいずれも第１のＳＭＡワイヤ及び第２のＳＭＡワイヤを含み、前記第１のＳＭＡワイヤおよび前記第２のＳＭＡワイヤの可動端は、それぞれ前記第１の支持部および前記第２の支持部によって支持され、前記第１のＳＭＡワイヤの２つの固定端は、前記第１の電源固定部と前記第１のアース固定部とにそれぞれ固定され、前記第２のＳＭＡワイヤの２つの固定端は、前記第２の電源固定部と前記第２のアース固定部にそれぞれ固定されたことを特徴とする請求項１９に記載のカメラモジュール。
【国際調査報告】
2021504745.tif 000019
2021504745.tif 000020
2021504745.tif 000021
2021504745.tif 000022